(57)【要約】      （修正有）【課題】様々な位置に設置することができる多目的薄葉紙を提供する。【解決手段】多目的薄葉紙１は、単一の薄葉紙２が複数積層された状態の薄葉紙積層体１０と、この薄葉紙積層体１０が収容されたプラスチック製の収容体である収容袋３と、この収容袋３の側面に取り付けられた袋体１７と、この袋体１７に収容されて収容袋３の外面に取り付けられる両面テープ６とを有している。利用者は、袋体１７から両面テープ６を取り出し、収容袋３の底部において、二か所ないし四か所に両面テープ６を貼り付け、例えば、トイレの壁などに収容袋３を貼り付ける。【選択図】図１
0003232297.tif 000002
【実用新案登録請求の範囲】
【請求項１】
積層された複数の薄葉紙である薄葉紙積層体と、  前記薄葉紙積層体が収容された収容体と、  前記収容体の外面に取り付けられる両面粘着部材と、を有する、  ことを特徴とする多目的薄葉紙。
【請求項２】
前記収容体の底部に前記両面粘着部材が取り付けられた、  ことを特徴とする請求項１に記載された多目的薄葉紙。
【請求項３】
前記収容体に袋体が取り付けられ、この袋体に前記両面粘着部材が収容された、  ことを特徴とする請求項１に記載された多目的薄葉紙。
【請求項４】
複数の前記薄葉紙積層体が収容された梱包収容体に袋体が取り付けられ、この袋体に前記両面粘着部材が収容された、  ことを特徴とする請求項１に記載された多目的薄葉紙。
【請求項５】
前記収容体が、プラスチック製の袋である、  ことを特徴とする請求項１から請求項４のいずれか１項に記載された多目的薄葉紙。
【請求項６】
前記薄葉紙がトイレットペーパーである、  ことを特徴とする請求項１から請求項５のいずれか１項に記載された多目的薄葉紙。
【考案の詳細な説明】
【技術分野】
【０００１】  本発明は、ティッシュペーパーなどの多目的薄葉紙に関するものである。
【背景技術】
【０００２】  従来、ティッシュペーパーは、積層された薄葉紙が、紙製の箱に収容された構造であり、箱の上面に形成された開口部から、薄葉紙が一枚ずつ引っ張り出される。ティッシュペーパーは、テーブルなどに置かれるが、例えば、下記特許文献１に記載されているとおり、箱の側面にフック部が取り付けられ、タオル掛けなどに引っ掛けられて用いられる場合もある。
【先行技術文献】
【特許文献】
【０００３】
【特許文献１】特開２０１７−２０２８４３号公報
【考案の概要】
【考案が解決しようとする課題】
【０００４】  すなわち、上記したとおり、ティッシュペーパーは、様々な場所で様々な用途に用いられることから、任意の位置に設置できることが好ましい。【０００５】  本発明は、上記の実情に鑑みて提案されたものである。すなわち、様々な位置に設置することができる多目的薄葉紙の提供を目的とする。
【課題を解決するための手段】
【０００６】  上記目的を達成するために、本発明に係る多目的薄葉紙は、積層された複数の薄葉紙である薄葉紙積層体と、前記薄葉紙積層体が収容された収容体と、前記収容体の外面に取り付けられる両面粘着部材と、を有する、ことを特徴とする。【０００７】  本発明に係る多目的薄葉紙は、前記収容体の底部に前記両面粘着部材が取り付けられた、ことを特徴とする。【０００８】  本発明に係る多目的薄葉紙は、前記収容体に袋体が取り付けられ、この袋体に前記両面粘着部材が収容された、ことを特徴とする。【０００９】  本発明に係る多目的薄葉紙は、複数の前記薄葉紙積層体が収容された梱包収容体に袋体が取り付けられ、この袋体に前記両面粘着部材が収容された、ことを特徴とする。【００１０】  本発明に係る多目的薄葉紙は、前記収容体が、プラスチック製の袋である、ことを特徴とする。【００１１】  本発明に係る多目的薄葉紙は、前記薄葉紙がトイレットペーパーである、ことを特徴とする。
【考案の効果】
【００１２】  本発明に係る多目的薄葉紙は、積層された複数の薄葉紙である薄葉紙積層体と、この薄葉紙積層体が収容された収容体と、この収容体の外面に取り付けられる両面粘着部材と、を有している。すなわち、両面粘着部材が収容体の外面に貼り付けられることで、収容体が、取付対象に対して、両面粘着部材を介して着脱される。したがって、多目的薄葉紙を様々な位置に設置することができる。【００１３】  本発明に係る多目的薄葉紙は、収容体の底部に両面粘着部材が取り付けられている。したがって、多目的薄葉紙を様々な位置に設置することができる。【００１４】  本発明に係る多目的薄葉紙は、収容体に袋体が取り付けられ、この袋体に両面粘着部材が収容されている。すなわち、両面粘着部材が収容体ごとに付けられている。したがって、利用者は、両面粘着部材を、簡単に素早く収容体に取り付けることができ、多目的薄葉紙を様々な位置に設置することができる。【００１５】  本発明に係る多目的薄葉紙は、複数の薄葉紙積層体が収容された梱包収容体に袋体が取り付けられ、この袋体に両面粘着部材が収容されている。すなわち、複数の多目的薄葉紙と両面粘着部材とがセットになっている。したがって、利用者は、両面粘着部材を、簡単に素早く収容体に取り付けることができ、多目的薄葉紙を様々な位置に設置することができる。【００１６】  本発明に係る多目的薄葉紙は、収容体が、プラスチック製の袋である。プラスチック製の袋は、一般的な紙製の箱と比較して軽量であり、かつ、嵩張らないため、扱いが容易である。一方で、使用されて薄葉紙の枚数が減ると、全体の重さがさらに軽量となるため、利用者が、薄葉紙を引っ張り出す際、収容体が薄葉紙に追随して引っ張られる場合がある。この場合、収容体が追随しないように、利用者は、収容体を押さえながら、薄葉紙を引っ張り出すことを要する。しかし、両面粘着部材を介して収容体が取付対象に接着されているため、利用者が薄葉紙を引っ張り出す際、収容体が取付対象に接着された状態が維持される。【００１７】  本発明に係る多目的薄葉紙は、薄葉紙がトイレットペーパーである。例えば、多目的薄葉紙がトイレの壁などに設置された場合、利用者は、片方の手で薄葉紙を把持して一枚ずつ引っ張り出すことができる。したがって、利用者は、途中で千切る必要がなく、トイレにおいて片手で容易に薄葉紙を使用することができる。また、ホルダーも不要であり、便利である。
【図面の簡単な説明】
【００１８】
【図１】図１は、本発明の第一実施形態に係る多目的薄葉紙の外観斜視図である。
【図２】図２は、本発明の第二実施形態に係る多目的薄葉紙であって、複数の多目的薄葉紙が積み上げられて梱包されたものの外観斜視図である。
【図３】図３は、本発明の第三実施形態に係る多目的薄葉紙の外観斜視図である。
【図４】図４は、本発明の各実施形態に係る多目的薄葉紙の使用状態の外観斜視図である。
【考案を実施するための形態】
【００１９】  以下、本発明の第一実施形態に係る多目的薄葉紙を図面に基づいて説明する。図１は、多目的薄葉紙１の外観が示されている。
【００２０】  図１に示されているとおり、多目的薄葉紙１は、単一の薄葉紙２が複数積層された状態の薄葉紙積層体１０と、この薄葉紙積層体１０が収容されたプラスチック製の収容体である収容袋３と、この収容袋３の外面に取り付けられる両面粘着部材である両面テープ６とを有している。
【００２１】  薄葉紙２は、例えば、四角形や長方形などの方形である。薄葉紙２が、例えば、トイレットペーパーであれば、可溶性の澱粉などでパルプ繊維同士や古紙原料同士が接着され、浸水した場合において、繊維や古紙原料がほどけ易い構造である。一方、薄葉紙２が、例えば、ティッシュペーパーであれば、湿潤紙力増強剤などの樹脂によって繊維同士や古紙原料同士が接着されている。なお、薄葉紙２は、例えば、活性炭、ゼオライト、フラボノイド、タンニン、カテキン、ポリフェノールなどの消臭剤または脱臭剤や、例えば、ベンザルコニウム塩などの抗菌剤が含浸されていてもよい。
【００２２】  上下に積層された薄葉紙２の一部は、互い違いに重なり合っている。すなわち、例えば、一枚の薄葉紙２を、右半分と左半分とに区分して説明すれば、一枚目の薄葉紙２の左半分の上に、二枚目の薄葉紙２の右半分が重ねられる。一枚目の薄葉紙２の右半分が折られて、二枚目の薄葉紙２の右半分の上に重ねられる。二枚目の薄葉紙２の右半分の上に、三枚目の薄葉紙２の左半分が重ねられる。二枚目の薄葉紙２の左半分が折られて、三枚目の薄葉紙２の左半分の上に重ねられる。このような構造が繰り返されることで複数の薄葉紙２が積層されている。
【００２３】  収容袋３は、薄手のプラスチック製であり、例えば、ポリプロピレン、ポリスチレン、ポリアミドなどの袋である。収容袋３の上面は、薄葉紙２が引っ張り出される際に通る開口部４が形成されている。なお、収容袋３は、一般的な紙製の箱であってもよい。
【００２４】  多目的薄葉紙１は、収容袋３の側面に袋体１７が取り付けられている。袋体１７は、いわゆるファスナー付きのプラスチック製であり、例えば、ポリプロピレン、ポリスチレン、ポリアミドなどの袋である。袋体１７の大きさは任意であるが、例えば、収容袋３の側面に収まる程度の大きさである。なお、袋体１７が取り付けられる位置は、任意である。
【００２５】  袋体１７は、複数の両面テープ６が収容されている。袋体１７に収容された両面テープ６の数は、二つないし四つである。両面テープ６は、例えば四角形であるが、形状は任意である。両面テープ６の粘着力は、収容袋３に貼り付けられる側の面が、収容袋３から剥がれない程度であり、反対側の面が、例えば壁のクロスなどの取付対象に対して十分に貼付き、かつ、剥がして再利用できる程度である。
【００２６】  次に、本発明の第二実施形態に係る多目的薄葉紙を図面に基づいて説明する。図２は、多目的薄葉紙２１の外観が示されている。
【００２７】  図２に示されているとおり、多目的薄葉紙２１は、第一実施形態に係る多目的薄葉紙１が複数積み上げられて梱包収容体５に収容されている。なお、梱包収容体５は、収容袋３と同様に、薄手のプラスチック製であり、例えば、ポリプロピレン、ポリスチレン、ポリアミドなどの袋である。
【００２８】  次に、本発明の第三実施形態に係る多目的薄葉紙を図面に基づいて説明する。図３は、多目的薄葉紙３１の外観が示されている。
【００２９】  図３に示されているとおり、袋体１７が取り付けられていない複数の多目的薄葉紙が収容された梱包収容体５に袋体３７が取り付けられ、この袋体３７に複数の両面テープ６が収容されている。袋体３７は、第一実施形態に係る多目的薄葉紙１の袋体１７と同じ構成であるが、袋体１７と比較して大きく形成され、収容された両面テープ６の数は、梱包収容体５に収容された多目的薄葉紙ごとに二ないし四つ用いられることを想定して、複数である。
【００３０】  次に、多目的薄葉紙１の使用方法を説明する。図４は、多目的薄葉紙１の使用状態が示されている。
【００３１】  利用者は、袋体１７，３７から両面テープ６を取り出し、収容袋３の底部において、二か所ないし四か所に両面テープ６を貼り付ける。両面テープ６が貼り付けられる位置は、例えば、収容袋３の底部における端部や、図４に示されているとおり、四隅などであるが、多目的薄葉紙１が取付対象から脱落しないことを条件として、任意である。利用者は、両面テープ６を介して、例えば、トイレの壁８、棚（図示省略）、ホルダー（図示省略）の上などに収容袋３を貼り付けて設置する。
【００３２】  なお、本発明の第四実施形態に係る多目的薄葉紙として、収容体３の底部に、予め両面テープ６が貼り付けられていてもよい（図４参照）。
【００３３】  以上のとおり、多目的薄葉紙１，２１，３１、が構成されている。次に、多目的薄葉紙１，２１，３１の効果を説明する。
【００３４】  多目的薄葉紙１は、収容袋３の側面に袋体１７が取り付けられ、この袋体１７は、複数の両面テープ６が収容されている。この両面テープ６が、収容袋３の底部に貼り付けられることで、収容袋３が、取付対象に対して、両面テープ６を介して着脱される。したがって、多目的薄葉紙１を様々な位置に設置することができる。
【００３５】  また、多目的薄葉紙１は、両面テープ６が収容袋３ごとに付けられているため、利用者は、両面テープ６を、簡単に素早く収容袋３に取り付けることができ、多目的薄葉紙１を様々な位置に設置することができる。多目的薄葉紙２１，３１も同様に、両面テープ６がセットになっているため、利用者は、両面テープ６を、簡単に素早く収容袋３に取り付けることができ、多目的薄葉紙１を様々な位置に設置することができる。
【００３６】  次に、多目的薄葉紙１，２１，３１が、トイレットペーパーとして用いられた場合の効果を説明する。
【００３７】  多目的薄葉紙１は、単一の薄葉紙２が複数積層された薄葉紙積層体１０として収容袋３に収められている。すなわち、多目的薄葉紙１は、それぞれ独立した複数の薄葉紙２から構成されている。この構成により、多目的薄葉紙１がトイレットペーパーとして用いられれば、利用者は、トイレにおいて、一般的なティッシュペーパーのように、片方の手で薄葉紙２を把持して一枚ずつ引っ張り出すことができる。したがって、利用者は、途中で千切る必要がなく、トイレにおいて片手で容易に薄葉紙２を使用することができる。また、ホルダーも不要であり、便利である。
【００３８】  収容袋３は、薄手のプラスチック製であり、例えば、ポリプロピレン、ポリスチレン、ポリアミドなどの袋である。薄手のプラスチック製の収容袋３は、一般的な紙製の箱と比較して軽量であり、かつ、嵩張らないため、扱いが容易である。また、両面テープ６を介して収容袋３が取付対象に接着されているため、利用者が薄葉紙２を引っ張り出す際、収容袋３が取付対象に接着された状態が維持される。すなわち、使用されて薄葉紙２の枚数が減り、全体の重さが軽量となった場合、利用者が、薄葉紙２を引っ張り出す際、収容袋３が薄葉紙２に追随して引っ張られるのを防ぐことができる。
【００３９】  多目的薄葉紙１は、上下に積層された薄葉紙２の一部が互い違いに重なり合っている。この構成により、利用者が、一枚の薄葉紙２を引っ張り出すと、この薄葉紙２に引きずられて二枚目の薄葉紙２が引き出される。利用者は、必要に応じて複数枚の薄葉紙２を使用する。したがって、利用者は、トイレにおいて、必要な分量の薄葉紙２を、片手で容易に使用することができる。
【００４０】  以上、本発明の実施形態を詳述したが、本発明は上記実施形態に限定されるものではない。そして本発明は、実用新案登録請求の範囲に記載された事項を逸脱することがなければ、種々の設計変更を行うことが可能である。
【符号の説明】
【００４１】  １，２１，３１    多目的薄葉紙  ２                薄葉紙  ３                収容袋（収容体）  ４                開口部  ５                梱包収容体  ６                両面テープ（両面粘着部材）  ８                壁  １０              薄葉紙積層体  １７，２７，３７  袋体
【図１】
0003232297.tif 000003
【図２】
0003232297.tif 000004
【図３】
0003232297.tif 000005
【図４】
0003232297.tif 000006